(57)【要約】【課題】共振回転速度通過時にはドラムの振動を最小限に抑えることができるドラム式洗濯機を提供すること。【解決手段】水平軸または傾斜回転軸にて回転可能に支持された有底円筒状のドラム３と、ドラム３を収容する水槽２と、水槽２の振動を検知する振動検知手段１２と、ドラム３の正面側に配置された環状容器１７と、環状容器１７内を移動可能な球体８と、ドラム３を回転駆動する駆動モータ４と、駆動モータ４等を制御する制御手段６とを備え、制御手段６は、振動検知手段１２によりドラム３内の洗濯物のアンバランス量を判定し、判定したアンバランス量を基に、共振回転速度までのドラム３の立ち上げ方を決定する。【選択図】図１
2013223627.tif 000002
【特許請求の範囲】
【請求項１】
水平または傾斜した回転軸により回転可能に支持された有底円筒状のドラムと、
前記ドラムを収容する水槽と、
前記水槽の振動を検知する振動検知手段と、
前記ドラムの正面側に配置された環状容器と、
前記環状容器内を移動可能な球体と、
前記ドラムを回転駆動する駆動モータと、
前記駆動モータ等を制御する制御手段とを備え、
前記制御手段は、前記振動検知手段により前記ドラム内の洗濯物のアンバランス量を判定し、判定したアンバランス量を基に、共振回転速度までの前記ドラムの立ち上げ方を決定するようにしたドラム式洗濯機。
【請求項２】
前記駆動モータの電流を検知する電流検知手段をさらに備え、
前記振動検知手段は、前記ドラム内の洗濯物にかかる重力が遠心力より小さい回転速度で回転している時に前記水槽の振動を検知し、
前記制御手段は、前記振動検知手段により、前記洗濯物のアンバランス量が多いと判定した時に、前記ドラム内の洗濯物にかかる重力と遠心力とが均衡する回転速度にて、前記電流検知手段により前記駆動モータの電流を検知し、前記電流に基づいて前記球体と前記洗濯物のアンバランスとが逆位相になるように前記駆動モータを制御する請求項１に記載のドラム式洗濯機。
【請求項３】
前記振動検知手段は、前記ドラム内の洗濯物にかかる重力が遠心力より小さい回転速度で回転している時に前記水槽の振動を検知し、
前記制御手段は、前記振動検知手段により、前記洗濯物のアンバランス量が少ないと判定した時に、前記ドラムの加速および減速を繰り返すようにした請求項２に記載のドラム式洗濯機。
【請求項４】
前記制御手段は、前記ドラムが加速・減速を繰り返した後、前記振動検知手段により、再び前記水槽の振動を検知するようにし、前記振動検知手段による振動量が所定の値よりも小さいとき、前記ドラムを共振回転速度より高い回転速度まで上げるようにした請求項３に記載のドラム式洗濯機。
【発明の詳細な説明】
【技術分野】
【０００１】
本発明は、弾性的に支持された水槽内に洗濯物を収容して回転可能なドラムを備え、そのドラム内で洗濯物の洗い、すすぎ、脱水を行うドラム式の洗濯機に関する。
【背景技術】
【０００２】
一般的に、水平または傾斜した回転軸を有するドラム式洗濯機の脱水工程において、しばしば洗濯物がドラム内で不均一な状態、すなわちアンバランスな状態になる。その結果、脱水中に回転軸には偏った力が加わり、振動が発生する。振動の振幅は回転ドラムの回転速度の２乗に比例して増大する。その振動のために洗濯機自身が移動したり、また、騒音が激しいためにある回転速度以上では運転することができなくなってしまうなどの問題が発生する。
【０００３】
洗濯物のアンバランスによる振動を低減するために、金属球（以降、ボールと呼ぶ）を使用したボールバランサシステムがある。ボールバランサは、ドラムの内周に取り付けた管状のレース部内に、回転方向（周方向）に自由度をもつ複数のボールを備えている。ボールバランサは、偏心荷重を生じさせるアンバランス体に対して自動的にボールが対向位置に移動する力学現象を利用したバランス装置である。
【０００４】
また、ドラムの正面側にボールを配置したシングルボールバランサの他に、ドラムの正面側及び底面側の２箇所に、複数の転動体を配置したダブルボールバランサも知られている（例えば、特許文献１参照）。これらは原理的には同じである。すなわち、どちらのボールバランサも、脱水工程において経時的に変化する洗濯物のアンバランス量に刻一刻と対応して、複数のボールが位置を変え、自動的にアンバランスを修正する仕組みである。
【０００５】
特許文献１において、第１の回転速度を共振回転速度以下の回転速度で回転し、所定の時間、ボールが偏心荷重に対して同相位置に移動して、その同相位置で維持する。その後、ドラムは同相位置で停止状態からゆるやかに加速して、共振回転速度を通過する。これにより、ボールが自動バランシングの原理により自動的にアンバランスの対向位置に移動することで振動を抑制している。
【０００６】
また、ドラムの回転を共振回転速度の高速側近傍である過渡振動回転速度領域の上限まで上昇させた後、アンバランスの打ち消す方向にボールを移動させるために、ドラムの回転速度を不連続な回転速度に微小変化させてドラムを制御している（例えば、特許文献２参照）。
【先行技術文献】
【特許文献】
【０００７】
【特許文献１】特開２０１０−１２５０８３号公報
【特許文献２】特開２０１１−１２５４０１号公報
【発明の概要】
【発明が解決しようとする課題】
【０００８】
しかしながら、従来の構成では、洗濯物のアンバランス量によって必要なボールの動作が異なるため、同様の立ち上げ方では共振回転速度を通過するときには振動が大きくなることがあるという課題を有していた。
【０００９】
本発明は、前記従来の課題を解決するもので、洗濯物のアンバランス量によって高速回
転時のドラムの立ち上げ方を変えることで、共振回転速度通過時にはドラムの振動を最小限に抑えることができるドラム式洗濯機を提供することを目的とする。
【課題を解決するための手段】
【００１０】
前記従来の課題を解決するために、本発明のドラム式洗濯機は、水平または傾斜した回転軸により回転可能に支持された有底円筒状のドラムと、前記ドラムを収容する水槽と、前記水槽の振動を検知する振動検知手段と、前記ドラムの正面側に配置された環状容器と、前記環状容器内を移動可能な球体と、前記ドラムを回転駆動する駆動モータと、前記駆動モータ等を制御する制御手段とを備え、前記制御手段は、前記振動検知手段により前記ドラム内の洗濯物のアンバランス量を判定し、判定したアンバランス量を基に、共振回転速度までの前記ドラムの立ち上げ方を決定するようにしたものである。
【００１１】
これにより、洗濯物のアンバランス量に応じて必要な球体を制御することができ、低振動のまま共振回転速度まで立ち上げることができるため、共振回転速度通過時にはドラムの振動を最小限に抑えることができる。
【発明の効果】
【００１２】
本発明のドラム式洗濯機は、洗濯物のアンバランス量に応じて、球体を的確に制御することができるため、共振回転速度におけるドラムの振動を最小限に抑制することができる。
【図面の簡単な説明】
【００１３】
【図１】本発明の実施の形態１におけるドラム式洗濯機の要部断面図
【図２】本発明の実施の形態１におけるボールバランサの概略図
【図３】本発明の実施の形態１におけるドラム式洗濯機の制御ブロック図
【図４】本発明の実施の形態１における回転速度のシーケンスを表す図
【図５】本発明の実施の形態１における回転速度のシーケンスを表す図
【図６】本発明の実施の形態１における駆動モータ電流の特性図
【発明を実施するための形態】
【００１４】
第１の発明のドラム式洗濯機は、水平または傾斜した回転軸により回転可能に支持された有底円筒状のドラムと、前記ドラムを収容する水槽と、前記水槽の振動を検知する振動検知手段と、前記ドラムの正面側に配置された環状容器と、前記環状容器内を移動可能な球体と、前記ドラムを回転駆動する駆動モータと、前記駆動モータ等を制御する制御手段とを備え、前記制御手段は、前記振動検知手段により前記ドラム内の洗濯物のアンバランス量を判定し、判定したアンバランス量を基に、共振回転速度までの前記ドラムの立ち上げ方を決定するようにしたものである。
【００１５】
この構成により、振動検知手段により水槽の振動を検知し、検知結果に基づいて洗濯物のアンバランス量を判定して、ドラムの回転パターンを変えることで、洗濯物のアンバランス量に応じて必要な球体を制御することができる。このため、低振動のまま共振回転速度まで立ち上げることができ、共振回転速度通過時にはドラムの振動を最小限に抑えることができる。
【００１６】
第２の発明は、第１の発明のドラム式洗濯機の前記駆動モータの電流を検知する電流検知手段をさらに備え、
前記振動検知手段は、前記ドラム内の洗濯物にかかる重力が遠心力より小さい回転速度で回転している時に前記水槽の振動を検知し、前記制御手段は、前記振動検知手段により、前記洗濯物のアンバランス量が多いと判定した時に、前記ドラム内の洗濯物にかかる重力と遠心力とが均衡する回転速度にて、前記電流検知手段により前記駆動モータの電流を検
知し、前記電流に基づいて前記球体と前記洗濯物のアンバランスとが逆位相になるように前記駆動モータを制御するものである。
【００１７】
この構成により、洗濯物のアンバランス量が多い時は、ドラムの回転速度をドラム内の洗濯物にかかる重力と遠心力とが均衡する回転速度にすることで、洗濯物のアンバランスと球体の位置関係が逆位相よりも少しずれた場合にも、正確に球体を洗濯物のアンバランスと逆位相となるようにすることができる。よって、ボールバランサとしての洗濯物のアンバランスを少なくすることができ、共振回転速度通過時にはドラムの振動を最小限に抑えることができる。
【００１８】
第３の発明は、第２の発明のドラム式洗濯機の前記振動検知手段は、前記ドラム内の洗濯物にかかる重力が遠心力より小さい回転速度で回転している時に前記水槽の振動を検知し、前記制御手段は、前記振動検知手段により、前記洗濯物のアンバランス量が少ないと判定した時に、前記ドラムの加速および減速を繰り返すようにしたものである。
【００１９】
この構成により、洗濯物のアンバランス量が少ない時は、ボールバランサ自体が洗濯物のアンバランスになり得ることから、一旦ドラムを減速して再度加速という動作を繰り返すことで、球体を再配置することができる。これをすることによってボールバランサとしての洗濯物のアンバランスを少なくすることができ、共振回転速度通過時にはドラムの振動を最小限に抑えることができる。
【００２０】
第４の発明は、特に第３の発明の前記制御手段は、前記ドラムが加速・減速を繰り返した後、前記振動検知手段により、再び前記水槽の振動を検知するようにし、前記振動検知手段による振動量が所定の値よりも小さいとき、前記ドラムを共振回転速度より高い回転速度まで上げるようにしたものである。
【００２１】
この構成によって、ドラムを加速・減速を繰り返し、洗濯物のアンバランス量が変更された状態で、球体の位置も変更されているため、振動検知手段によって振動が小さいかを確認してからドラムを高速回転速度に立ち上げることで、共振回転速度通過時にドラムの振動を確実に抑えることができる。
【００２２】
以下、本発明の実施の形態について、図面を参照しながら説明する。なお、この実施の形態によって本案が限定されるものではない。
【００２３】
（実施の形態１）
図１は本発明の実施の形態１におけるドラム式洗濯機の要部断面図である。ドラム式洗濯機１の内側には、有底円筒状の水槽２が収容されている。水槽２の内部には有底円筒状のドラム３が収容されている。ドラム式洗濯機１の正面側には、水槽２の開口部２ａを通してドラム３内に通じる開口部３ａが設けられている。ドラム３は、ドラム３を回転支持する回転軸が正面側から底面側に向けて下向きに傾斜して配置されている。水槽２は開口部２ａを正面側とし、ドラム３に沿うように傾斜配置されている。回転軸を傾斜させることで、水槽２の前面側の開口を上側に配置することができるようになり、大きく屈む姿勢をとることなくドラム３内の洗濯物が取り出せるようになる。また、回転軸を水平方向とした場合に比べ、水槽２内に給水された水が背面側に溜まって、少ない水量でも深い貯水状態が得られる。すなわち、少ない給水量でも洗濯物が含水しやすくすくなる。水槽２はバネ１０とダンパ５によって支持されている。なお、洗濯物の取り出しやすさや給水量を考慮しなければ、回転軸は水平であってもよい。
【００２４】
ドラム３の内部には洗濯物１３を持ち上げて落とすことができるバッフル１６が設けられている。ドラム３が回転駆動することにより、バッフル１６によって持ち上げられた洗
濯物は、ドラム３の上部から水面に叩きつけられ、叩き洗い（機械力）によって洗浄がなされる。さらに、ドラム３には複数の透孔１５が設けられている。透孔１５を介して水槽２からドラム３内に通水および通気ができる。
【００２５】
また、開口部３ａには扉７が開閉自在に設けられている。水槽２の開口部２ａは、その口縁に環状のシール材が装着されている。シール材の前面側は扉７の背面側に当接して密閉し、上下左右、前後に揺動する水槽２の開口２ａが動いても、シール材が変形し扉７背面側へ押圧するので密閉性が維持されている。
【００２６】
ドラム３の前面側には、ボールバランサ３０が設けられている。図２は、本発明の実施の形態１におけるドラム式洗濯機１のボールバランサ３０の概略図である。ボールバランサ３０は、ドラム３の正面側に配置された環状容器１７と、環状容器１７内を移動可能な金属からなるボール８（球体）と、環状容器１７内に貯留される粘性液体１８とを有している。リング状となる環状容器１７はドラム３と軸線を一致するように設置されている。ボール８の動きを制御するために、環状容器１７の内部には粘性液体１８が貯留されている。本実施の形態１ではシリコンオイルを用いている。なお、他の粘性のある液体であれば同様の効果が得られることから、シリコンオイルに限定するものではない。
【００２７】
ドラム式洗濯機１の内部で水槽２の下方には、ドラム３を回転駆動するための駆動モータ４が取り付けられている。駆動モータ４の回転駆動が、ベルト２３を介してドラム３の同一軸に設けられたドラムプーリ２４に伝達される。これにより、駆動モータ４がドラム３を回転駆動する。
【００２８】
ドラム式洗濯機１の上部には、給水弁１１が設けられている。給水弁１１からの水は洗剤ケース９に流れ込み、洗剤を溶かしながら水槽２内に供給される。すすぎ工程においては、洗剤ケース９を介しても洗剤ケース９内には洗剤がないので、洗剤成分を含まないすすぎ水が給水される。また、ドラム式洗濯機１の下部には、排水ポンプ１９が設けられており、排水ポンプ１９を駆動させることで、水槽２内の洗浄水やすすぎ水が排水される。なお、本実施の形態では排水ポンプ１９によって、水槽２内の洗浄水やすすぎ水を排水することとしたが、排水弁としてもよい。
【００２９】
次に、駆動モータ４等を制御し、洗い、すすぎ、脱水等の工程を制御する制御手段６の詳細を図３により説明する。図３は本発明の実施形態１におけるドラム式洗濯機の制御ブロック図である。制御手段６は、給水弁１１、排水ポンプ１９や駆動モータ４の駆動の指示はもちろん、振動検知手段１２や水位センサ（図示せず）など各種センサ出力を含め、すべての入出力制御をタイマーで管理できるシステムを具備しており、各動作、タイミングにおける所要時間を知ることができる。
【００３０】
水槽２の振動を検知する振動検知手段１２は、水槽２の背面側の上部に設けられている。振動検知手段１２は、洗い、すすぎ、脱水の一連の工程における水槽２の振動を検知するものである。各工程での振動値を制御手段６が分析した後、駆動モータ４に対して指令を出すことで、最適なモータ制御を行っている。振動検知手段１２は、少なくとも一つの加速度センサ（図示せず）を有し、水槽２の上下方向、左右方向、前後方向のうちの少なくとも一つの方向の振動を検知している。なお、加速度センサとしては、半導体加速度センサ、圧電型加速度センサなどのいずれでも良く、さらに多軸（２軸もしくは３軸）方向の加速度センサでも良い。
【００３１】
電流検知手段２０は、駆動モータ４に印加する電流の値を検知する。制御手段６は、電流検知手段２０で検知した電流に基づき、環状容器１７のボール８の位置が洗濯物１３のアンバランスと逆位相であるタイミングを判断する。制御手段６は、洗濯物１３がアンバ
ランスと逆位相になるように駆動モータ４に指令を出している。制御手段６はハードウェア構成として、ＣＰＵ、メモリ、ドライバ回路などを具備した電気回路であり、制御手段６内のメモリに記憶させたプログラムに従って、駆動モータ４などの周辺機器を動かしている。
【００３２】
以上のように構成されたドラム式洗濯機の脱水工程について、以下、その動作、作用について図４〜７を用いて説明する。図４、５は、本発明の実施の形態１におけるドラム式洗濯機の回転速度のシーケンスを表す図である。図６は、本発明の実施の形態１における駆動モータ電流の特性図である。
【００３３】
まず、ドラム式洗濯機１が排水後に脱水を行う場合、制御手段６の指令により駆動モータ４に駆動電圧を印加させる。駆動モータ４を低速回転から高速回転に動作させ、ドラム３の回転速度を徐々に上昇させる。このとき、駆動モータ４が永久磁石同期モータであるため、駆動モータ４のロータ位置を検知する。これにより、駆動モータ４の脱調を防止することで安全、かつ高速に回転速度を上昇させることができる。
【００３４】
次に、制御手段６は、洗濯物１３やボール８にかかる重力がドラム３の回転による遠心力より小さい回転速度でドラム３を回転させる。振動検知手段１２により水槽の振動を検知するために、洗濯物１３がドラム３の内壁に貼りつく回転速度が一番望ましい。この回転速度でドラム３を回転すると、洗濯物１３のアンバランスが形成しやすく、かつ、ドラム３の一回転（一周期）内で洗濯物１３のアンバランスによる振動を検知すること可能なため、本実施例では８０ｒｐｍとしている。
【００３５】
次に、洗濯物１３のアンバランスの位置および量検知について簡単に説明する。本実施では、振動検知手段１２は３軸の加速度センサである。水槽２の上下方向、左右方向、前後方向を検知し、それぞれ洗濯物１３のアンバランスの位置によって、各軸の位相差で洗濯物のアンバランス量を検知している。洗濯物１３のアンバランス量がドラム３の正面側にある時は、水槽２の左右方向、前後方向の位相差が大きくなる。洗濯物１３のアンバランス量がドラム３の後側にある時は２方向の位相差が小さくなることから、振動検知手段１２で検知した信号により、制御手段６が洗濯物１３のアンバランス量を判定することが可能となる。また、洗濯物１３のアンバランス量については、水槽２の左右方向の信号振幅を使用して洗濯物１３のアンバランス量を検知している。これはドラム３内に衣類が存在すると、水槽２の揺れとしては左右方向のＳＮ比が一番大きい。従って本実施例では左右方向を採用している。
【００３６】
次に、図４を用いて洗濯物１３のアンバランス量が多い時の共振回転速度までの立ち上げ方について説明する。まず、脱水工程が開始されると、ドラム３の回転速度を８０ｒｐｍまで上昇させて、洗濯物１３のアンバランス量の検知を行う。
【００３７】
制御手段６は、振動検知手段１２の出力を基に、洗濯物１３のアンバランス量が多いと判定した場合、ドラム３の回転速度を８０ｒｐｍから低下させ、その回転速度にて維持する。このときの回転速度は、洗濯物１３やボール８にかかる重力とドラム３の回転による遠心力が釣り合う均衡回転速度である。この時の回転速度は、ドラム３の大きさや布量、布質にもよるが、例えば６７ｒｐｍである。このときの回転速度の下限値は、洗濯物１３がドラム３内で落下しないような回転速度で、ボール８が環状容器１７内で洗濯物に対して相対的に移動できるような回転速度である。また、上限回転速度は、１次共振回転速度よりも低く、ボール８が環状容器１７内で、洗濯物に対して相対的に移動できるような回転速度である。もしくは、洗濯物がボール８に対して相対的に移動できるような回転速度である。ドラム３の回転速度が低すぎると、重力が支配的になり、ボール８と洗濯物のアンバランス位置が相対的に変化せず、バランスの均衡が取れない。また、ドラム３の回転
速度が高すぎると、重力よりも遠心力が支配的になるため、ボール８がドラム３に対して相対的に移動できなくなり、洗濯物１３のアンバランス量とボール８を逆位相にすることができなくなる。よって、このときのドラム３の回転速度は、遠心力と重力が均衡する回転速度、または遠心力が重力よりもやや支配的になるような回転速度である必要がある。
【００３８】
洗濯物１３に作用する重力と遠心力がほぼ釣り合い、ボール８がドラム３内の洗濯物に対して相対的に移動するような条件の時に電流検知手段２０により、駆動モータ４に印加する電流値（トルク電流）をモニターする。
【００３９】
ここで、洗濯物１３のアンバランス量の位置とボール８が逆位相になるタイミングについて図６を用いながら説明する。ドラム３を８７ｒｐｍから６７ｒｐｍまで下降させた後、回転速度を６７ｒｐｍで維持させることで、ドラム３とボール８との位相ずれが生じ、ボール８が洗濯物１３のアンバランス位置に対して相対的に移動する。これにより、洗濯物１３アンバランス量とボール８が周期的に同位相になったり、逆位相になったりする。洗濯物１３のアンバランス量がボール８と同位相の場合、図６の電流値Ａにように大きくなる。アンバランス量がボール８と逆位相の場合、図６の電流値Ｂにように小さくなる。電流値があらかじめ設定した閾値よりも小さくなれば、洗濯物１３のアンバランス量とボール８が逆位相であると判断するようにしている。そこで図６のようにあらかじめ設定した閾値よりも小さくなった時、ボール８が洗濯物１３のアンバランスと逆位相なる直前の状態なので、回転速度を上昇させても支障はない。従って、制御手段６により駆動モータ４に指令を出して、共振回転領域よりも高い回転速度まで一気に加速する。
【００４０】
以上のようにして、洗濯物のアンバランスとボール８との位置関係が逆位相よりも少しずれた場合にも、正確にボールを洗濯物のアンバランスと逆位相となるようにすることができる。よって、ボールバランサとしての洗濯物のアンバランスを少なくすることができ、共振回転速度通過時にはドラム３の振動を最小限に抑えることができる。
【００４１】
次に、図５を用いて、洗濯物１３のアンバランス量が少ない時の共振回転速度までの立ち上げ方について説明する。まず、脱水工程が開始されると、８０ｒｐｍまで上昇して、洗濯物１３のアンバランス量の検知を行う。
【００４２】
洗濯物１３のアンバランス量が少ない場合、ドラム３の回転速度を、８０ｒｐｍから洗濯物１３やボール８にかかる重力とドラム３の回転による遠心力が釣り合う均衡回転速度まで下降させる。この時の回転速度を６７ｒｐｍにして一定時間回転した後、ドラム３の回転を１２０ｒｐｍまで加速させ、１２０ｒｐｍで一定時間回転させる。この後、再度ドラム３を６７ｒｐｍまで減速させ回転させる。本実施の形態においては、加速・減速の動作を２回としているが、２回〜６回の範囲内であれば本実施の形態と同等の効果が得られる。
【００４３】
その後、振動検知手段１２により、水槽２の振動を再度検知して、振動量が所定の値よりも小さいときに、ドラムを共振回転速度より高い回転速度まで上げる。
【００４４】
以上のようにして、洗濯物のアンバランス量が少ない時は、ボールバランサ自体が洗濯物のアンバランスになり得ることから、一旦ドラム３を減速して再度加速という動作を繰り返すことで、球体を再配置することができる。これをすることによってボールバランサとしての洗濯物のアンバランスを少なくすることができ、共振回転速度通過時にはドラムの振動を最小限に抑えることができる。
【００４５】
また、ドラム３を加速・減速を繰り返した後、振動検知手段１２による振動量が所定の値よりも小さいとき、ドラム３を共振回転速度より高い回転速度まで上げることにより、
洗濯物のアンバランス量が変更された状態で、ボール８の位置が変更されている。このため、振動検知手段１２によって振動が小さいかを確認してからドラム３を高速回転速度に立ち上げることで、共振回転速度通過時にドラム３の振動を確実に抑えることができる。
【００４６】
ここで、洗濯物１３のアンバランス量が少ない時にドラム３を加速・減速を繰り返す必要について説明する。ドラム３の正面側に配置しているボールバランサ３０は、洗濯物１３のアンバランス量が少ない場合には、補正力を最大限に発揮することができない。そこで、本実施の形態においては、ドラム３の加速・減速により、ボール８を環状容器内で分散させることができる。ボール８を分散させることにより、ドラム３内の洗濯物１３のアンバランスとボール８が対角に位置することによる発生する対角アンバランスを防ぐことができる。洗濯物１３のアンバランス量が変わり、振動検知手段１２による振動が低減された場合には、ボール８と洗濯物１３のアンバランス量を電流検知手段２０で検知して、逆位相のときにドラム３を共振回転速度以上の回転速度まで回転させる。これにより、共振回転速度通過時にはドラムの振動を最小限に抑えることができる。
【００４７】
以上のようにして、振動検知手段１２により水槽２の振動を検知し、検知結果に基づいて洗濯物のアンバランス量を判定して、ドラム３の回転パターンを変えることで、洗濯物のアンバランス量に応じて必要な球体を制御することができる。このため、低振動のまま共振回転速度まで立ち上げることができ、共振回転速度通過時にはドラム３の振動を最小限に抑えることができる。
【産業上の利用可能性】
【００４８】
本発明にかかる洗濯機は、洗濯物によるアンバランス量によって、高速回転時のドラムの立ち上げ方を変えるので、アンバランスをより低減することができ、起動時の振動を抑制できることから、家庭用、業務用のドラム式洗濯機やクリーニング装置として有用である。
【符号の説明】
【００４９】
１  ドラム式洗濯機
２  水槽
３  ドラム
４  駆動モータ
５  ダンパ
６  制御手段
８  ボール（球体）
１０  バネ
１２  振動検知手段
１３  洗濯物
１６  バッフル
１７  環状容器
１８  粘性液体
２０  電流検知手段
３０  ボールバランサ
【図３】
2013223627.tif 000003
【図４】
2013223627.tif 000004
【図５】
2013223627.tif 000005
【図１】
2013223627.tif 000006
【図２】
2013223627.tif 000007
【図６】
2013223627.tif 000008